(57)【要約】【課題】製造工程を単純化してコストを低減しつつ簡単に紙缶容器を製造する。【解決手段】上端部の左右方向に設定長さの折り目ｆを除いて切り裂き目が形成された本体部２１及び該本体部２１に連設され、本体部２１の幅の略半分の幅を有するとともに、切り裂き目を超えて上方に突出する上端縁を有する設定高さのガイド部２２からなる周壁部を、本体部２１の内周面にガイド部２２を沿わせて円筒状に巻回し、貼着して形成された筒状体２Ａと、筒状体２Ａのカーリング部に貼着された天面板３と、筒状体２Ａの折り返し部に挾持されて貼着された底面板とから紙缶容器１を構成する。そして、筒状体２Ａを切り裂き目に沿って切り裂いて上端部分及び下方部分に分かち、上端部分を下方部分に対して折り目ｆを中心に回動させることにより、下方部分の内周面に略半周にわたって配置されたガイド部２２に嵌合、離脱させて下方部分の開口部を開閉する。【選択図】図５
2014019475.tif 000002
【特許請求の範囲】
【請求項１】
上端にカーリング部が、下端に内方への折り返し部がそれぞれ形成されるとともに、上端部の左右方向に設定長さの折り目を除いて切り裂き目が形成された本体部及び該本体部に連設され、本体部の幅の略半分の幅を有するとともに、切り裂き目を超えて上方に突出する上端縁を有する設定高さのガイド部からなる周壁部を、本体部の内周面にガイド部を沿わせて円筒状に巻回し、貼着して形成された筒状体と、筒状体のカーリング部に貼着された天面板と、周縁に形成された折り返し部が筒状体の折り返し部に挾持されて貼着された底面板とから構成され、筒状体を切り裂き目に沿って切り裂いて上端部分及び下方部分に分かち、筒状体の上端部分を下方部分に対して折り目をヒンジとして回動させることにより、下方部分の内周面における折り目と略１８０度対向する側の略半周にわたって配置されて下方部分の上端縁から上方に突出するガイド部に嵌合させ、または、離脱させ、下方部分の開口部を閉鎖し、または、開放することを特徴とする紙缶容器。
【請求項２】
請求項１に記載の紙缶容器において、前記折り目と略１８０度対向する側の切り裂き目が水平方向に延びる設定長さの一対のジッパー用切り裂き目であり、その先端部が開口されることを特徴とする紙缶容器。
【請求項３】
請求項２に記載の紙缶容器において、前記ガイド部に、一対のジッパー用切り裂き目が切り裂かれて形成された帯状片の端縁部を挿入可能な切れ目が形成されることを特徴とする紙缶容器。
【発明の詳細な説明】
【技術分野】
【０００１】
本発明は、紙缶容器に関するものである。
【背景技術】
【０００２】
近年、菓子や食品等を収容するため、金属缶に代えて紙製の容器である紙缶容器が使用されるようになっている。
【０００３】
紙缶容器は、例えば、特許文献１に示されるように、円筒状胴部の上端部に、蓋体を着脱自在に嵌挿することで形成される。
【０００４】
このような紙缶容器においては、円筒状胴部と蓋体とを別個に形成し、菓子等の商品を収容した後、円筒状胴部に蓋体を嵌挿しなければならず、両者の寸法差によって嵌合できなかったり、あるいは、蓋体が脱落し易いという欠点があった。
【０００５】
このような紙缶容器に対応して、出願人は、特許文献２に示すように、筒状体を形成する外筒部の上端部分を下方部分に対して折り目をヒンジとして回動させることにより、上端部分の脱落を防止して筒状体における下方部分の開口部を開閉させる紙缶容器を提案している。
【先行技術文献】
【特許文献】
【０００６】
【特許文献１】特開平９−２０３５４号公報
【特許文献２】特開２００８−２５４７９８号公報
【発明の概要】
【発明が解決しようとする課題】
【０００７】
しかしながら、特許文献２の紙缶容器にあっては、筒状体が外筒部と内筒部との２つの部材から形成されることにより、外筒部及び内筒部をそれぞれ打ち抜いた後、外筒部及び内筒部をそれぞれ取り出して外筒部の所定位置に内筒部を貼着し、さらに、外筒部に内筒部を貼着したブランクを取り出して円筒状に巻回するといった作業が必要となる。このため、製造工程が複雑になるとともに、機械に供給し、取り出すといった段取り作業に多くの時間が入用となり、コストがかさむとともに、生産効率が低いという欠点があった。
【０００８】
本発明は、このような問題点に鑑みてなされたもので、製造工程を単純化してコストを低減しつつ簡単に製造することのできる紙缶容器を提供するものである。
【課題を解決するための手段】
【０００９】
本発明は、上端にカーリング部が、下端に内方への折り返し部がそれぞれ形成されるとともに、上端部の左右方向に設定長さの折り目を除いて切り裂き目が形成された本体部及び該本体部に連設され、本体部の幅の略半分の幅を有するとともに、切り裂き目を超えて上方に突出する上端縁を有する設定高さのガイド部からなる周壁部を、本体部の内周面にガイド部を沿わせて円筒状に巻回し、貼着して形成された筒状体と、筒状体のカーリング部に貼着された天面板と、周縁に形成された折り返し部が筒状体の折り返し部に挾持されて貼着された底面板とから構成され、筒状体を切り裂き目に沿って切り裂いて上端部分及び下方部分に分かち、筒状体の上端部分を下方部分に対して折り目をヒンジとして回動させることにより、下方部分の内周面における折り目と略１８０度対向する側の略半周にわたって配置されて下方部分の上端縁から上方に突出するガイド部に嵌合させ、または、離脱させ、下方部分の開口部を閉鎖し、または、開放することを特徴とするものである。
【００１０】
本発明によれば、本体部にガイド部を連設してなる周壁部を円筒状に巻回して筒状体を形成することができる。そして、筒状体の下端開口に底面板を貼着した後、菓子等の商品を上端開口から充填し、その上端開口に天面板を貼着して紙缶容器を製造することができる。
【００１１】
一方、筒状体の切り裂き目に沿って切り裂いて上端部分と下方部分に分かち、上端部分と下方部分との折り目をヒンジとして筒状体の上端部分を下方部分に対して上方に回動させることにより、上端部分を下方部分のガイド部から離脱させ、下方部分の開口部を開放して商品を取り出すことができる。また、折り目をヒンジとして筒状体の上端部分を下方部分に対して下方に回動させることにより、上端部分を下方部分のガイド部に嵌合させ、下方部分の開口部を閉鎖することができる。
【００１２】
この結果、本体部にガイド部を連設してなる周壁部を打ち抜き、円筒状に巻回して貼着することにより、折り目と略１８０度隔てて対向する側に略半周にわたってガイド部を配置した筒状体を形成できることから、製造工程が単純化され、コストを低減しつつ簡単に製造することができる。また、折り目がヒンジとなって筒状体の上端部分の脱落を防止するとともに、筒状体の下方部分の上端縁から上方に突出するガイド部が上端部分の回動時の案内として機能することから、下方部分の開口部を容易に開閉でき、また、閉鎖位置に確実に保持することができる。
【００１３】
本発明において、前記折り目と略１８０度対向する側の切り裂き目が水平方向に延びる設定長さの一対のジッパー用切り裂き目であり、その先端部が開口されることが好ましい。これにより、開口を通して一対のジッパー用切り裂き目の開封側端縁部を摘んで上方に持ち上げることで一対のジッパー用切り裂き目を簡単に引き裂くことができる。すなわち、筒状体に形成された切り裂き目に沿って切り裂く際、一定長さにわたるジッパー用切り裂き目を簡単に引き裂くことができるとともに、該ジッパー用引き裂き目に連続する引き裂き目に波及させて容易に引き裂くことができる。
【００１４】
本発明において、前記ガイド部に、一対のジッパー用切り裂き目が切り裂かれて形成された帯状片の端縁部を挿入可能な切れ目が形成されることが好ましい。これにより、一対のジッパー用切り裂き目を切り裂いて形成される帯状片をガイド部の切れ目に差し込んで保持することができ、ゴミを発生させることがない。
【発明の効果】
【００１５】
本発明によれば、本体部にガイド部を連設してなる周壁部を円筒状に巻回して筒状体を形成することにより、製造工程が単純化され、コストを低減しつつ簡単に製造することができる。
【図面の簡単な説明】
【００１６】
【図１】本発明の紙缶容器の一実施形態を示す斜視図である。
【図２】図１の紙缶容器の縦断面図である。
【図３】図２のＸ部およびＹ部をそれぞれ拡大して示す断面図である。
【図４】図１の紙缶容器を構成する周壁部、天面板、底面板の展開図である。
【図５】図１の紙缶容器の上端部分を回動させた状態の斜視図である。
【発明を実施するための形態】
【００１７】
以下、本発明の実施の形態を図面に基づいて説明する。
【００１８】
図１及び図２には、本発明の紙缶容器１の一実施形態が示されている。
【００１９】
この紙缶容器１は、菓子や食品、例えば、パスタ等を収容するものであり、コートボールを図４に示す展開図にしたがって打ち抜いた後、各構成部品を貼着して組み立てられる。そして、紙缶容器１に菓子等の商品を収容して包装した後、出荷される。
【００２０】
この紙缶容器１は、図４の展開図に示すように、周壁部２、天面板３及び底面板４から構成されている。
【００２１】
周壁部２は、本体部２１の右端縁の上部にガイド部２２が連設されるとともに、その左端縁に糊代２３が連設され、また、本体部２１の上端縁にカーリング形成部２４が折り目ａを介して連設されるとともに、その下端縁に折り返し形成部２５が折り目ｂを介して連設されて構成されている。そして、周壁部２の糊代２３及び本体部２１には、その上端部において左端縁から内方に向かって緩やかに下降する設定長さの切り裂き目ｃが形成され、該切り裂き目ｃに連続して水平方向に延びる設定長さのジッパー用切り裂き目ｄが形成され、該ジッパー用切り裂き目ｄに連続して外方に向かって緩やかに上昇する設定長さの切り裂き目ｅが形成され、該切り裂き目ｅに連続して水平方向に延びる設定長さの折り目ｆが形成され、該折り目ｆに連続して外方に向かって右端縁まで緩やかに下降する設定長さの切り裂き目ｇが形成されている。
【００２２】
また、周壁部２の本体部２１には、ジッパー用切り裂き目ｄの下方に設定間隔をおいて該ジッパー用切り裂き目ｄと同長のジッパー用切り裂き目ｈが平行に形成されている他、これらの一対のジッパー用切り裂き目ｄ，ｈの先端部は、設定長さにわたって切除されて開口２１ａに形成されており、開口２１ａを通して一対のジッパー用切り裂き目ｄ，ｈの端縁部を摘むことができる。
【００２３】
ここで、周壁部２を、本体部２１の内周面に沿ってガイド部２２が配設されるように、円筒状に巻回し、糊代２３を本体部２１の表面側右側端縁部に貼着して筒状体２Ａを形成するとともに、ジッパー用切り裂き目ｄ，ｈが正面側に位置するように筒状体２Ａを配置した場合、折り目ｆはジッパー用切り裂き目ｄ，ｈと略１８０度離れて対向する背面側に位置するように設定され、また、糊代２３は背面側に位置する折り目ｆから略９０度離れた左側端縁部に位置するように設定されている。そして、切り裂き目ｃと切り裂き目ｇとは、糊代２３の長さ分重複して背面側の折り目ｆから左側面側を緩やかに下降してジッパー用切り裂き目ｄの左端縁に連続し、切り裂き目ｅは、折り目ｆから右側面側を緩やかに下降してジッパー用切り裂き目ｄの右端縁に連続する。
【００２４】
これらのジッパー用切り裂き目ｄを含む切り裂き目ｃ，ｅ，ｇを切り裂くことにより、筒状体２Ａを上端部分及びその下方部分に分かつことができ、その際、折り目ｆがヒンジとして機能し、筒状体２Ａの下方部分に対して上端部分を回動させることができる。
【００２５】
また、周壁部２のガイド部２２は、本体部２１の切り裂き目ｅの右端縁下方に連設され、本体部２１の幅の略半分の長さに相当する幅と、設定された高さを有し、その上端縁は切り裂き目ｇの右端縁を超えて設定高さ上方に突出されている。すなわち、本体部２１の内周面に沿ってガイド部２２が配置されるように周壁部２を円筒状に巻回し、糊代２３を本体部２１の表面側右側端縁部に貼着して筒状体２Ａを形成し、ジッパー用切り裂き目ｄ，ｈが正面側に位置するように筒状体２Ａを配置した場合、ガイド部２２は、筒状体２Ａに形成された本体部２１の右端縁（筒状体２Ａの左側端縁部）から正面側裏面に略半周にわたって配置され、上端縁がジッパー用切り裂き目ｄ及びその左右に連続する切り裂き目ｃ，ｅを超えて上方に突出するように設定されている。
【００２６】
さらに、ガイド部２２には、一対のジッパー用切り裂き目ｄ，ｈに沿って切り裂くことで形成される帯状片２１１（図５参照）の端縁部を差し込むことができるように、略亀甲括弧状の切れ目ｉがジッパー用切り裂き目ｄ，ｈに対応して形成されている。
【００２７】
天面板３は、紙缶容器１の外径、すなわち、周壁部２を円筒状に巻回して形成された筒状体２Ａの外径に略相当する直径の円板に形成されている。
【００２８】
また、底面板４は、周壁部２を円筒状に巻回して形成された筒状体２Ａの内径に略相当する直径の底面本体４１の周縁に折り返し形成部４２が折り目ｊを介して連設された円板に形成されている。
【００２９】
次に、このように構成された紙缶容器１の組み立て手順について説明する。
【００３０】
まず、図４の展開図にしたがってコートボールから周壁部２、天面板３、底面板４を打ち抜く。そして、周壁部２をその裏面が表面を向くように表裏反転させ、糊代２３及び本体部２１におけるジッパー用切り裂き目ｈの下方にそれぞれ接着剤を塗布した後、円筒状に巻回し、糊代２３を本体部２１の表面側右側端縁部に貼着するとともに、本体部２１をガイド部２２の表面に貼着することにより、上下両端が開口された筒状体２Ａを形成する。
【００３１】
次いで、折り返し形成部２５が上方に位置するように筒状体２Ａを倒立させた後、底面板４の折り返し形成部４２を折り目ｊに沿って立ち上げ、折り返し部４２Ａを形成するとともに、底面板４の折り返し部４２Ａの外周面に接着剤を塗布し、筒状体２Ａの内方に嵌挿し、その内周面に貼着する。この際、筒状体２Ａの本体部２１と折り返し形成部２５との折り目ｂに、底面板４の折り返し部４２Ａの上端縁を沿わせて貼着する。次いで、筒状体２Ａの折り返し形成部２５の内周面に接着剤を塗布し、折り目ｂに沿って筒状体２Ａの内方に向けて折り込んで折り返し部２５Ａを形成し、先に貼着した底面板４の折り返し部４２Ａの内周面に貼着する（図３（ｂ）参照）。
【００３２】
底面板４を貼着したならば、筒状体２Ａのカーリング形成部２４が上方に位置するように筒状体２Ａを正立させた後、カーリング形成部２４をカーリングし、カーリング部２４Ａを形成する（図３（ａ）参照）。そして、底面板４が貼着されて下端開口が閉鎖された筒状体２Ａの内部に菓子等の商品を充填した後、カーリング部２４Ａの頂部に接着剤を塗布し、天面板３の周縁を貼着すれば、内部に商品を収容した紙缶容器１を形成することができる（図１参照）。この後、詳細には図示しないが、紙缶容器１はフィルムで包装されて出荷される。
【００３３】
一方、店頭にて商品を購入した消費者はフィルムを剥離した後、筒状体２Ａの正面側に形成された開口２１ａを通して一対のジッパー用切り裂き目ｄ，ｈによって区画された端縁部を摘んで上方に引き上げて、筒状体２Ａの正面側をジッパー用切り裂き目ｄ，ｈの長さ分切り裂く。次いで、筒状体２Ａにおける切り裂き目ｃ（ｇ），ｅよりも上方部分を把持し、背面側に位置する折り目ｆを中心として上方に引き上げる。これにより、ジッパー用切り裂き目ｄの左右各端縁に応力が集中し、ジッパー用切り裂き目ｄに連続する切り裂き目ｃ，ｅを切り裂いて筒状体２Ａを上端部分及び下方部分に分かつとともに、筒状体２Ａの上端部分が下方部分に対して折り目ｆをヒンジとして回動可能となり、筒状体２Ａにおける下方部分の開口部を開放させ、その開口部を通して菓子等の商品を取り出すことができる（図５参照）。
【００３４】
この際、一対のジッパー用切り裂き目ｄ，ｈを切り裂くことによって形成される帯状片２１１の端縁部をガイド部２２の切れ目ｉに差し込むことにより、帯状片２１１を保持することができ、ゴミを発生させることがない。
【００３５】
商品を取り出した後、筒状体２Ａにおける下方部分の開口部を閉鎖する場合は、筒状体２Ａの上端部分を把持し、折り目ｆをヒンジとして押し下げることにより、筒状体２Ａの上端部分がガイド部２２の外周面に嵌合するとともに、切り裂かれた切り裂き目ｃ，ｅ，ｆ，ｇの端縁同士が突き合わされて開口部を閉鎖することができる。すなわち、筒状体２Ａの上端部分は、その下方部分に対して折り目ｆをヒンジとして回動自在に連結されることにより、脱落が防止されるとともに、下方部分の正面側の略半周にわたって配置され、その上端縁（切り裂き目ｃ，ｅ，ｇが切り裂かれて形成された端縁）を超えて上方に突出されたガイド部２２に支持されて筒状体２Ａにおける下方部分の開口部を閉鎖する位置に確実に保持される。
【００３６】
このように、ガイド部２２が筒状体２Ａの上端部分の回動時に案内として機能することから、筒状体２Ａにおける下方部分の開口部を容易に開放し、あるいは、閉鎖することができる。
【００３７】
また、本体部２１にガイド部２２を連設した周壁部２を打ち抜き，そのまま円筒状に巻回して筒状体２Ａに形成できることから、外筒部と内筒部とを個別に打ち抜き、両者を貼着した後、円筒状に巻回して筒状体を形成する従来方式に比較して製造工程が単純化され、コストを低減して簡単に製造することができる。
【符号の説明】
【００３８】
１  紙缶容器
２  周壁部
２Ａ  筒状体
２１  本体部
２２  ガイド部
２３  糊代
２４  カーリング形成部
２４Ａ  カーリング部
２５  折り返し形成部
２５Ａ  折り返し部
ａ，ｂ，ｆ  折り目
ｃ，ｅ，ｇ  切り裂き目
ｄ，ｈ  ジッパー用切り裂き目
３  天面板
４  底面板
４２  折り返し形成部
４２Ａ  折り返し部
【図１】
2014019475.tif 000003
【図２】
2014019475.tif 000004
【図３】
2014019475.tif 000005
【図４】
2014019475.tif 000006
【図５】
2014019475.tif 000007